(57)【要約】【課題】  発光体として電球を使用した既存の電球型懐中電灯を、発光体として発光ダイオードを使用した懐中電灯に容易に変更できる懐中電灯用ＬＥＤユニットを提供する。【解決手段】  懐中電灯用ＬＥＤユニット１を、基板２と口金部３とで形成する。基板２は、一方の面に発光ダイオード４を搭載し、他方の面に発光ダイオード４の駆動用回路５を搭載する。口金部３は、基板２の他方の面に着脱自在に設け、懐中電灯７のソケット部８にねじ込み、懐中電灯７に装着した電池からの電力を前記発光ダイオード駆動用回路５に供給する。【選択図】  図１
2005116379.tif 000002
【特許請求の範囲】
【請求項１】
一方の面に発光ダイオードを搭載し、他方の面に発光ダイオードの駆動用回路を搭載した基板と、この基板の前記他方の面に着脱自在に設けられ、懐中電灯のソケット部にねじ込まれて懐中電灯に装着された電池からの電力を前記発光ダイオード駆動用回路に供給する口金部とを有することを特徴とする懐中電灯用ＬＥＤユニット。
【請求項２】
請求項１記載の懐中電灯用ＬＥＤユニットであって、前記基板と口金部とがコネクタを介して着脱自在に形成されていることを特徴とする懐中電灯用ＬＥＤユニット。
【請求項３】
請求項１又は２記載の懐中電灯用ＬＥＤユニットであって、前記発光ダイオードが４個設けられ、これらが縦横等間隔をおいて正方形状に配列されていることを特徴とする懐中電灯用ＬＥＤユニット。
【発明の詳細な説明】
【技術分野】
【０００１】
本発明は、懐中電灯用ＬＥＤユニットに関し、更に詳しくは発光体として電球を使用した既存の電球型懐中電灯を、発光ダイオードを使用した懐中電灯に容易に変更できるよう形成した懐中電灯用ＬＥＤユニットに関する。
【背景技術】
【０００２】
従来の電球を使用した懐中電灯は、消費電力が多く、電池を消耗し易いため、所定期間で電池を交換する必要を生じ、経費がかかる、という欠点を有している。また、発光体がフィラメントのため、切れることがあり、電球を交換する頻度も高くなる、という問題もある。
【０００３】
そこでこのような問題に鑑み、従来、例えば特許文献１に示されるように、耐用年数が長く、又消費電力も少なくなるよう形成した照明装置が提案されている。この特許文献１の場合、懐中電灯は、同文献の図２９及び図３０に示されているように、照明灯が取り付けられる照明灯取付部を有する懐中電灯形状のケース体内に着脱可能に電池が収納され、ケース体に照明灯と電池とを接続する電流供給回路が設けられている。そして、照明灯の発光素子として、白色に発光する白色発光ダイオードが１個使用されている。また、別の実施形態としては、同文献の図２７及び図２８に示されているように、発光素子として、白色発光ダイオードに換えて、青色発光ダイオード、赤色発光ダイオード及び緑色発光ダイオードを使用した懐中電灯も記載されている。
【特許文献１】特開平１０−３０２５１４号公報
【０００４】
ところで発光体として電球を使用した既存の電球型懐中電灯を、特別に改造することなく、電球をＬＥＤユニットに交換するだけで、発光ダイオード使用の懐中電灯に変更できると、上記した電池交換、電球交換の問題を解消でき、好ましい。
【０００５】
しかしながら、例えば白色発光ダイオードの点灯電圧は１個当たり約３．４Ｖであり、電球と同じ輝度を得るためには、通常、４個の白色発光ダイオードを必要とする。したがって、４個の白色発光ダイオードを直列に接続した場合、電池電圧は約１４Ｖ必要となる。したがって、既存の電球型の懐中電灯において電球を単に白色発光ダイオードに変更しただけでは、電池２本使用の場合では３．２Ｖであり、昇圧回路は設けられていないので、４個の白色発光ダイオードを発光することはできない。また、上記特許文献１には、発光ダイオードを使用した懐中電灯が示されているが、昇圧回路は示されておらず、既存の電球型懐中電灯の電球をＬＥＤユニットに変更するだけで、発光ダイオード使用の懐中電灯に変更できるＬＥＤユニットは開示されていない。
【発明の開示】
【発明が解決しようとする課題】
【０００６】
本発明は、発光体として電球を使用した既存の電球型懐中電灯を、発光体として発光ダイオードを使用した懐中電灯に容易に変更できるよう形成した懐中電灯用ＬＥＤユニットを提供することを課題とする。
【課題を解決するための手段】
【０００７】
本発明は、上記の課題を解決するために、次のような技術的手段を採る。
即ち、本発明は、図１等に示されているように、一方の面に発光ダイオード４を搭載し、他方の面に発光ダイオード４の駆動用回路５を搭載した基板２と、この基板２の前記他方の面に着脱自在に設けられ、懐中電灯７のソケット部８にねじ込まれて懐中電灯７に装着された電池からの電力を前記発光ダイオード駆動用回路５に供給する口金部３とを有することを特徴とする（請求項１）。
【０００８】
本発明の場合、前記基板２と口金部３とがコネクタ６を介して着脱自在に形成されていることが好ましい（請求項２）。これによれば、基板２の発光ダイオード駆動用回路５と口金部３との電気的接続を容易に行えるからである。
【０００９】
また、本発明の場合、発光ダイオード４の種類、数及び配置については特に限定はない。但し本発明は、図３等に示されるように、例えば、白色発光ダイオードが４個設けられ、これらが縦横等間隔をおいて正方形状に配列されるのが好ましい（請求項３）。
なぜならこれによると、比較的少ない個数の発光ダイオード４で、四方八方を均一に効率良く照明できるからである。
【発明の効果】
【００１０】
上記の本発明の構成によれば、既存の電球型懐中電灯のソケット部に、本発明の懐中電灯用ＬＥＤユニットの口金部をねじ込んで装着すれば、既存の電球型の懐中電灯を容易に発光ダイオード使用の懐中電灯に変更することができる。したがって、発光ダイオードを使用した懐中電灯を新規に製造したり、それを購入することがなくなり、現在使用中の電球型懐中電灯を利用できるので、経費の削減や省資源化に大いに寄与する。
【発明を実施するための最良の形態】
【００１１】
以下、本発明の好適な一実施形態を、図１〜図５に従って説明する。
【００１２】
この実施形態に係る本発明の懐中電灯用ＬＥＤユニット１は、図１〜図４に示されているように、基板２と、口金部３とから形成されている。基板２は、一方の面に白色発光ダイオード４を搭載し、他方の面に白色発光ダイオード４の駆動用回路５を搭載している。口金部３は、基板２の前記他方の面にコネクタ６によって着脱自在に設けられている。コネクタ６は、雄雌一対のコネクタ部６ａ，６ｂからなり、雄コネクタ部６ａは基板２の前記他方の面における中央部位置に固定されており、雌コネクタ部６ｂは口金部３の端面に固定されている。したがって、基板２と口金部３は、雄雌コネクタ部６ａ，６ｂを接続することによって連結され、懐中電灯用ＬＥＤユニット１を形成する。口金部３は、外周がねじに形成され、懐中電灯７のねじが形成されているソケット部８にねじ込まれ、懐中電灯７に装着された電池からの電力をコネクタ６を介して前記発光ダイオード駆動用回路５に供給するものである。
【００１３】
本実施形態の懐中電灯用ＬＥＤユニット１は、電球と同じ輝度を得るために、４個の白色発光ダイオード４を有しており、これらが縦横等間隔をおいて正方形状に配列されている。白色発光ダイオード４の点灯電圧は１個当たり約３．４Ｖであるので、４個の白色発光ダイオード４を直列に接続した場合、４個の白色発光ダイオード４を点灯させるためには約１４Ｖ必要となる。そのため、懐中電灯７が電池２本使用の場合には、その電池電圧は約３．２Ｖであるので、白色発光ダイオード４を点灯させるためには電池電圧を約１４Ｖに昇圧する必要がある。したがって、白色発光ダイオード４の駆動用回路５は昇圧回路９（図５参照）を備えている。昇圧回路９は、電池１０に接続されているコイル１１、スイッチング回路１２、定電流回路１３、定電圧回路１４、及び平滑回路１５から構成され、電池電圧３．２Vを約１４Vまで昇圧し、白色発光ダイオード４を点灯させる。
【００１４】
したがって本発明の場合は、既存の電球型の懐中電灯から電球を取り外し、懐中電灯７のソケット部８に上記懐中電灯用ＬＥＤユニット１を装着すれば、既存の電球型懐中電灯を改造することなく、容易に発光ダイオード使用の懐中電灯に変更することができる。
【００１５】
なお、上記の実施形態では発光ダイオードとして白色発光ダイオードを使用した例を示したが、本発明はこれに限られることはなく、その他の発光ダイオード、例えば紫外線発光ダイオードや赤外線発光ダイオード等を使用できることは勿論である。これらの場合、発光ダイオードの数や配置、昇圧回路の出力電圧等は適宜選定されるので良い。
【図面の簡単な説明】
【００１６】
【図１】本発明の懐中電灯用ＬＥＤユニットを懐中電灯のソケット部に装着した状態を示す側面図である。
【図２】本発明の懐中電灯用ＬＥＤユニットの分解図で、Ａは基板側、Ｂは口金部側のそれぞれ側面図である。
【図３】本発明の懐中電灯用ＬＥＤユニットを示す全体斜視図である。
【図４】本発明の懐中電灯用ＬＥＤユニットを装着した懐中電灯を示す全体斜視図である。
【図５】発光ダイオード駆動用回路の回路図である。
【符号の説明】
【００１７】
１    懐中電灯用ＬＥＤユニット
２    基板
３    口金部
４    発光ダイオード
５    発光ダイオード駆動用回路
６    コネクタ
７    懐中電灯
８    ソケット部
９    昇圧回路
１０  電池
【図１】
2005116379.tif 000003
【図２】
2005116379.tif 000004
【図３】
2005116379.tif 000005
【図４】
2005116379.tif 000006
【図５】
2005116379.tif 000007